(57)【特許請求の範囲】
【請求項１】
電極部を有するバッテリユニットと、
前記バッテリユニットを収容する収容ケースと、
前記バッテリユニットと前記収容ケースとの間に形成される空気層と、
前記電極部を介して前記バッテリユニットから供給される電源により動作する機能実行手段と、
外周面に無端状に形成された断面がくさび形状の溝部を介して前記収容ケースと係合し、前記バッテリユニットを収容する収容空間を気密空間として形成する係合部材と、
前記溝部に設けられ、外部から加わる圧力による前記収容空間の内部と外部との圧力差に応じて、当接する前記収容ケースおよび前記係合部材との間の当接力が変化するリング形状のシール部材と、
前記バッテリユニットと前記機能実行手段とを収納し、接続対象と接続する接続部を有する筐体と、を備え、
前記筐体の接続部の内部には水密リングが周設され、かつ、前記シール部材が外部から加わる圧力に応じてテーパー部の方向に押圧されることにより当接力が変化することを特徴とするバッテリ装置。
【請求項２】
電極部を有するバッテリユニットと、
前記バッテリユニットを収容する収容ケースと、
前記バッテリユニットと前記収容ケースとの間に形成される空気層と、
前記電極部を介して前記バッテリユニットから供給される電源により動作する機能実行手段と、
外周面に無端状に形成された断面がくさび形状の溝部を介して前記収容ケースと係合し、前記バッテリユニットを収容する収容空間を気密空間として形成する係合部材と、
前記溝部に設けられ、加わる熱によって膨張して、当接する前記収容ケースおよび前記係合部材との間の当接力が変化するリング形状のシール部材と、
前記バッテリユニットと前記機能実行手段とを収納し、接続対象と接続する接続部を有する筐体と、を備え、
前記筐体の接続部の内部には水密リングが周設されることを特徴とするバッテリ装置。
【請求項３】
前記シール部材は、長手方向に無端に設けられたリング形状の第１形状記憶材料と、長手方向に直交する内部の円周方向に前記第１形状記憶材料と一部が接続されるように設けられるＣ字形状の複数の第２形状記憶材料とを内部に有することを特徴とする請求項２に記載のバッテリ装置。
【請求項４】
請求項１〜３のいずれか一つに記載のバッテリ装置を着脱自在に接続して使用する内視鏡装置。
【発明の詳細な説明】
【技術分野】
【０００１】
本発明は、１次電池または２次電池として使用されるバッテリ手段（以下、単に「バッテリ」という）を有するバッテリユニット、そのバッテリユニットを有するバッテリ装置、医療機器および内視鏡に関し、特に高温状態を含む外部環境にも耐性を有するバッテリユニット、そのバッテリユニットを有するバッテリ装置、医療機器および内視鏡装置に関するものである。
【背景技術】
【０００２】
たとえば、従来の乾電池などのバッテリは、所定の装置に設けられた正極および負極の電極を備えたバッテリ収容ケースに収容されており、これら電極および電極に繋がる導電線などを介して電気的に接続された所定の機能を実行する機能実行手段としての負荷装置に電力を供給することで、この機能実行手段の駆動を可能にしている。
【０００３】
ところが、近年では、このような構成のバッテリを高温状態の外部環境下に配置したり、高温状態の外部環境下で使用する状況が発生する場合が考えられる。このような状況としては、バッテリを、たとえば被検体に対する医療行為に使用する際に、滅菌を必要とする場合、高温や低温下での工業用に使用する場合、温度条件の厳しい宇宙環境で使用する場合などが考えられる。このような場合には、一般的に用いられている、たとえば熱伝導性のあるステンレス鋼などの金属やプラスチック材質のバッテリ収容ケースにバッテリを収容する構成では、外部からの熱がバッテリに伝達されてしまって、電池の性能が劣化することがあり、高温状態に対応することが困難であった。たとえば、機能実行装置として特許文献１に示す医療用の内視鏡装置においては、このバッテリ収容ケースを熱伝導性の高い金属やプラスチック材質で構成し、このバッテリ収容ケースにバッテリを収容して、負荷装置であるランプとバッテリを電気的に接続させて、ランプに電力を供給するように構成されている。
【０００４】
この内視鏡装置では、このランプからの出射光をライトガイドファイバなどに導光し、ライト部先端側の照明窓からこの導光された照明光を出射させて、被検者の被検部位である胃、大腸などの臓器の内部（体腔内）を照明し、その反射光を内視鏡装置に取り込むことで、医者もしくは看護士による観察を可能にしていた。
【０００５】
【特許文献１】特開平９−５６６７２号公報
【発明の開示】
【発明が解決しようとする課題】
【０００６】
しかしながら、現状の医療においては、たとえば高温度と圧力を加えた加圧水蒸気を生成し、この水蒸気によって、内視鏡装置を蒸気滅菌（オートクレーブ滅菌）してから、被検者に対して使用する状況が生じる場合がある。このオートクレーブ滅菌では、たとえば１３５℃に加熱され、かつ２．２気圧に加圧された加圧水蒸気で、内視鏡装置を２０分間加熱して滅菌するので、この２０分間の加熱の間に加圧水蒸気による熱がバッテリ収容ケースを介してバッテリに伝わり、電池に悪影響を与えて電池の性能を劣化させる場合がある。
【０００７】
本発明は、上記問題に鑑みてなされたものであって、外部環境が加圧水蒸気による高温状態においてもバッテリの性能を劣化させることなく、この外部環境の高温状態に良好に対応できるバッテリユニット、そのバッテリユニットを有するバッテリ装置、医療機器および内視鏡装置を提供することを目的とする。
【課題を解決するための手段】
【０００８】
上述した課題を解決し、目的を達成するために、本発明にかかるバッテリユニットは、電極部を有するバッテリ手段と、前記バッテリ手段を収容可能な収容空間を形成する収容部と、前記収容部と係合して前記収容空間を気密空間として形成する気密空間形成手段と、前記係合部分に設けられ、外部から加わる圧力による前記収容空間の内部と外部との圧力差に応じて、当接する被シール部材との間の当接力が変化するシール部材と、を有することを特徴とする。
【０００９】
また、本発明にかかるバッテリユニットは、電極部を有するバッテリ手段と、前記バッテリ手段を収容可能な収容空間を形成する収容部と、前記収容部と係合して前記収容空間を気密空間として形成する気密空間形成手段と、前記係合部分に設けられ、加わる熱によって膨張して、当接する被シール部材との間の当接力が変化するシール部材と、を有することを特徴とする。
【００１０】
また、本発明にかかるバッテリ装置は、外部側から内部側への熱伝導が低減される熱伝導低減領域を形成するための熱伝導低減領域形成手段と、電極部を有し、前記熱伝達低減領域に配置されるバッテリ手段と、前記熱伝導低減領域形成手段と前記バッテリ手段とから構成されるバッテリユニットを収容可能な収容空間を形成する収容部と、前記電極部を介して前記バッテリユニットから供給される電源により動作する機能実行手段と、前記収容部と係合して前記収容空間を気密空間として形成する気密空間形成手段と、前記係合部分に設けられ、外部から加わる圧力による前記収容空間の内部と外部との圧力差に応じて、当接する被シール部材との間の当接力が変化するシール部材と、を有することを特徴とする。
【００１１】
また、本発明にかかるバッテリ装置は、外部側から内部側への熱伝導が低減される熱伝導低減領域を形成するための熱伝導低減領域形成手段と、電極部を有し、前記熱伝達低減領域に配置されるバッテリ手段と、前記熱伝導低減領域形成手段と前記バッテリ手段とから構成されるバッテリユニットを収容可能な収容空間を形成する収容部と、前記電極部を介して前記バッテリユニットから供給される電源により動作する機能実行手段と、前記収容部と係合して前記収容空間を気密空間として形成する気密空間形成手段と、前記係合部分に設けられ、加わる熱によって膨張して、当接する被シール部材との間の当接力が変化するシール部材と、を有することを特徴とする。
【００１２】
また、本発明にかかる内視鏡装置は、外部側から内部側への熱伝導が低減される熱伝導低減領域を形成するための熱伝導低減領域形成手段と、電極部を有し、前記熱伝達低減領域に配置されるバッテリ手段と、前記熱伝導低減領域形成手段と前記バッテリ手段とから構成されるバッテリユニットを収容可能な収容空間を形成する収容部と、前記電極部を介して前記バッテリユニットから供給される電源により動作する機能実行手段と、前記収容部と係合して前記収容空間を気密空間として形成する気密空間形成手段と、前記係合部分に設けられ、外部から加わる圧力による前記収容空間の内部と外部との圧力差に応じて、当接する被シール部材との間の当接力が変化するシール部材と、前記バッテリユニットと前記収容部と前記機能実行手段と前記気密空間形成手段と前記シール部材とから構成されるバッテリ装置と、を有することを特徴とする。
【００１３】
また、本発明にかかる内視鏡装置は、外部側から内部側への熱伝導が低減される熱伝導低減領域を形成するための熱伝導低減領域形成手段と、電極部を有し、前記熱伝達低減領域に配置されるバッテリ手段と、前記熱伝導低減領域形成手段と前記バッテリ手段とから構成されるバッテリユニットを収容可能な収容空間を形成する収容部と、前記電極部を介して前記バッテリユニットから供給される電源により動作する機能実行手段と、前記収容部と係合して前記収容空間を気密空間として形成する気密空間形成手段と、前記係合部分に設けられ、加わる熱によって膨張して、当接する被シール部材との間の当接力が変化するシール部材と、前記バッテリユニットと前記収容部と前記機能実行手段と前記気密空間形成手段と前記シール部材とから構成されるバッテリ装置と、を有することを特徴とする。
【００１４】
また、本発明にかかるバッテリユニット、バッテリ装置または内視鏡装置は、上記発明において、前記シール部材は、内部に前記熱によって膨張する形状記憶材料を有することを特徴とする。
【発明の効果】
【００１５】
本発明にかかるバッテリユニットは、バッテリ手段を収容する収容部と係合して、収容空間を気密空間として形成するとともに、この係合部分に被シール部材と当接するシール部材を設け、シール部材と被シール部材との間の当接力を、外部から加わる圧力による前記収容空間の内部と外部との圧力差に応じて変化させるので、気密空間内の気密性を高めることができ、これにより外部環境が加圧水蒸気による高温状態においても、内部の気密性を高めて、高温の水蒸気の侵入を防ぐことができ、バッテリの性能を劣化させることがないという効果を奏する。
【００１６】
また、本発明にかかるバッテリユニットは、バッテリ手段を収容する収容部と係合して、収容空間を気密空間として形成するとともに、この係合部分に被シール部材と当接するシール部材を設け、シール部材と被シール部材との間の当接力を、外部から加わる熱の膨張によって変化させるので、気密空間内の気密性を高めることができ、これにより外部環境が加圧水蒸気による高温状態においても、内部の気密性を高めて、高温の水蒸気の侵入を防ぐことができ、バッテリの性能を劣化させることがないという効果を奏する。
【発明を実施するための最良の形態】
【００１７】
以下に、本発明にかかるバッテリユニット、そのバッテリユニットを有するバッテリ装置、医療機器および内視鏡装置の実施の形態を図１〜図１４の図面に基づいて詳細に説明する。なお、本発明は、これらの実施の形態に限定されるものではなく、本発明の要旨を逸脱しない範囲で種々の変更実施の形態が可能である。
【００１８】
（実施の形態１）
図１は、本発明にかかるバッテリ装置を用いる携帯型内視鏡装置の構成の一例を示す斜視図である。図において、内視鏡装置１は、液体の漏れや透過を防ぐ水密構造の内視鏡２と、この内視鏡２に着脱自在に装着されて電気的に接続されるバッテリ装置３とで構成されている。また、この内視鏡２には、バッテリ装置３の代わりに、図示しないライトガイドケーブルを着脱自在に装着させることも可能である。
【００１９】
この内視鏡２は、一端に設けられた接眼部２１と、この接眼部２１が取り付けられる取り付け側に設けられた操作部２２と、この操作部２２の他端に設けられ、被検体内に挿入される細長の円筒形状の挿入部２３とを有する。この取り付け側の操作部２２の側面には、ライトガイド口金２２ａが突出して設けられており、バッテリ装置３の接続部３１が着脱自在に接続される。また、この操作部２２の側面には、異なる位置に、挿入部２３先端の湾曲動作の操作を行うための湾曲操作レバー２２ｂと、吸引操作を行うための吸引ボタン２２ｃとがそれぞれ突設されている。この吸引ボタン２２ｃの側面には、内視鏡２内に設けられた吸引チャンネル（図示せず）に連通する吸引口金２２ｄが突出しており、たとえばこの吸引口金２２ｄにチューブを取り付け、このチューブを介して所定の吸引装置に接続させ、上述した吸引ボタン２２ｃを適宜操作することで、挿入部２３、吸引チャンネルおよび吸引口金２２ｄを介して体腔内の液体などの吸引排出を行うことができる。
【００２０】
また、この操作部２２には、内視鏡２を保持して固定するために、医者などが把持する把持部２２ｅが設けられている。この操作部２２において、挿入部２３が取り付けられる取り付け側には、鉗子を挿入するための鉗子挿入口２２ｆが突設されており、この鉗子挿入口２２ｆは、通常鉗子栓２２ｇで閉塞されている。また、鉗子挿入口２２ｆの対向側には、たとえば通気口金２２ｈが設けられ、この通気口金２２ｈから内視鏡２内部に空気を送入することによって、内視鏡２の水漏れ検査を行うことが可能となる。
【００２１】
被検体内に挿入される挿入部２３は、先端に設けられた硬質の先端部２３ａと、操作部２２の操作によって湾曲動作を行う湾曲部２３ｂと、柔軟性を有する可撓管２３ｃとを備え、これらの部位は一列に連なるように構成されている。
【００２２】
挿入部２３内には、バッテリ装置３から出射された照明光を導くためのライトガイドファイバ（図示せず）が内装されている。このライトガイドファイバの一端は、操作部２２内部で屈曲され、ライトガイド口金２２ａ内に固定されている。また、このライトガイドファイバの他端は、挿入部２３の先端に設けられた照明窓２３ｄに固定されている。したがって、内視鏡装置１は、バッテリ装置３から出射された照明光を、ライトガイド口金２２ａからライトガイドファイバを通って、照明窓２３ｄから外部に照射でき、これにより挿入された被検体の体腔内を照明することが可能となる。また、ライトガイド口金２２ａの外周面には、接続用の雄ネジ部２２ｉが設けられている。
【００２３】
図２は、図１に示した操作部２２とバッテリ装置３の接続部３１の外観を説明するための図である。図１、図２において、バッテリ装置３の接続部３１は、外周面に設けられた接続環３１ａを有し、接続環３１ａは、内周面に形成されている雌ネジ部３１ｂと、雌ネジ部３１ｂの外周面を被覆するネジカバー３１ｃとを備えている。この接続環３１ａは、円筒形状の接続口金３１ｄの外周面を囲繞するように設けられ、かつ接続口金３１ｄの長手方向の移動が一定の範囲で移動可能なように規制された状態で、この接続口金３１ｄに取り付けられている。そして、この雌ネジ部３１ｂが、ライトガイド口金２２ａの外周面に設けられた雄ネジ部２２ｉと螺合するように構成されている。
【００２４】
また、接続口金３１ｄの外周面には、水密リング３１ｅが周設されており、接続部３１をライトガイド口金２２ａに接続させる時に、この水密リング３１ｅがライトガイド口金２２ａの接続筒２２ｊの内周面に密着している。すなわち、このバッテリ装置３の接続環３１ａを所定方向に回転させ、ライトガイド口金２２ａの雄ネジ部２２ｉと接続環３１ａの雌ネジ部を螺合させることで、内視鏡２のライトガイド口金２２ａに接続環３１ａが螺合固定され、かつ接続筒２２ｊと接続口金３１ｄが水密リング３１ｅによって密着されて、内視鏡２とバッテリ装置３が一体に組み合わされることとなる。この構成により、この連結部での水密が確保される。
【００２５】
図３は、図１に示したバッテリ装置３の実施の形態１のＡ−Ａ断面の概略を示す図であり、図４は、同じく実施の形態１のＢ−Ｂ断面の概略を示す図であり、図５は、図１に示したバッテリ装置の接点の一部断面を示す断面図である。これらの図において、バッテリ装置３は、横長の長方体形状の枠体からなるランプを収容するランプ収容部３２と、バッテリユニットを収容するバッテリユニット収容手段であり、バッテリユニット収容空間を形成する内面を有する縦長の長方体形状からなる枠体からなるバッテリユニット収容部３３とを備える。
【００２６】
バッテリユニット収容部３３の内部には、後述するバッテリ３４を含むバッテリユニット３３ａのバッテリユニット正電極３３ｐ１と接触して電気的に接続される円柱形状の接続端子３２ｅが突起して設けられている。
【００２７】
ランプ収容部３２は、接続端子３２ｅと電気的に接続するとともに、バッテリ手段としてのバッテリ３４から接続端子３２ｅを介して供給される電源をランプ３２ａに供給して、ランプ３２ａを点灯させるモード、ランプ３２ａへの電源供給を遮断することで、ランプを消灯するモード、図示しない電力供給手段から充電用接続端子３２ｆを介してバッテリ３４を充電するモード、のモード切換えを行うスイッチ３２ｄと、スイッチ３２ｄがランプ３２ａを点灯するモードに選択されたときに、ランプ３２ａに供給する電源電圧をランプ３２ａの点灯に適切な一定の電圧である駆動電圧に変換する電源回路３２ｃと、バッテリ３４から電源電圧の供給を受けて機能する機能実行手段としてのランプ３２ａと、ランプ３２ａから出射される照明光を集光する集光レンズ３２ｂと、を収容している。
【００２８】
また、ランプ収容部３２の枠体には、スイッチ３２ｄおよびバッテリ３４に電気的に接続される電力供給手段から充電を行うか、もしくは充電チェックを行うための充電用接続端子３２ｆと、内視鏡２との接続時に電気的に導通する接点３２ｇとが、ランプ収容部３２の枠体側面を貫通して設けられている。ランプ３２ａは、スイッチ３２ｄおよび接続端子３２ｅを介して、バッテリユニット３３ａのバッテリユニット正電極３３ｐ１と、また接点３２ｇを介して、バッテリユニット３３ａのバッテリユニット負電極３３ｑ１と接続されている。スイッチ３２ｄは、バッテリ装置３の外部から切換え操作が可能なように構成されている。
【００２９】
接続端子３２ｅ，３２ｆおよび接点３２ｇは、少なくとも通常の電気接点として用いられる金属の接点に対しては熱伝導率の低く、かつ導電性のあるゴムや樹脂などの部材で形成されている。たとえば、これら部材は、シリコンゴム（信越化学工業株式会社製の製品番号がＫＥ３８０１Ｍ−Ｕのシリコンゴム、これを「熱伝導低減導電部材」と定義する）などから形成されている。また、接続端子３２ｆ及び接点３２ｇは、接続環３１ａ側のランプ収容部３２の枠体側面に配置されている。これら部材のうち、充電用接続端子３２ｆは、たとえば外部に設けられたバッテリの充電状態をチェックする充電状態モニタ回路（図示せず）が、接続環３１ａによってバッテリ装置３に取り付けられた時に、この充電状態モニタ回路とバッテリ３４が充電用接続端子３２ｆを介して電気的に接続される。これによって、充電状態モニタ回路がバッテリ３４の充電状態をチェックすることが可能となる。また、このスイッチ３２ｄの接点も、上述した熱伝導低減導電部材のシリコンゴムで形成されていても良く、さらに、その途中の回路、たとえば配線の一部も、熱伝導低減導電部材のシリコンゴムで形成することが可能である。
【００３０】
また、接点３２ｇは、バッテリ装置３が接続環３１ａによって、内視鏡２に取り付けられた時に電気的に導通して、バッテリ３４からランプ３２ａへの電源供給を可能にしている。すなわち、図５に示すように、バッテリ装置３の接点３２ｇには、バッテリ３４のバッテリ負電極３４ｂと電気的に接続される接点ピン３２ｇ１と、接点ピン３２ｇ１を付勢させて外部に突出させるスプリング３２ｇ２が設けられている。また、このバッテリ装置３の接点３２ｇに対向する内視鏡２の所定位置には、突起２２ｋが設けられており、バッテリ装置３が内視鏡２に取り付けられた時に、図５（ａ）に示すように、この突起２２ｋが接点３２ｇの接点ピン３２ｇ１に当接して、接点ピン３２ｇ１をバッテリ装置３内部に押下する。この押下によって、接点ピン３２ｇ１とランプ３２ａ側の電路３２ａ１およびバッテリユニット負電極３３ｑ１側の電路３２ａ２とが接触して、バッテリ３４からランプ３２ａへの電源供給が可能となる。また、バッテリ装置３が内視鏡２から取り外された時には、図５（ｂ）に示すように、この突起２２ｋと接点３２ｇとの当接が解除され、接点３２ｇが元の位置に戻るので、接点３２ｇとランプ３２ａ側の電路３２ａ１およびバッテリユニット負電極３３ｑ１側の電路３２ａ２とが非接触となって、バッテリ３４からランプ３２ａへの電源供給ができなくなる。
【００３１】
したがって、この実施の形態では、スイッチ３２ｄがオン状態で、かつバッテリ装置３が内視鏡２に取り付けられた時に、初めてバッテリユニット３３ａからランプ３２ａへの電源供給が行われ、このランプ３２ａから照明光が出射されることとなる。集光レンズ３２ｂは、接続口金３１ｄ内に配置され、ランプ３２ａからの照明光を集光して、内視鏡２内のライトガイドファイバに出射させている。また、このような構成において、たとえば接点ピン３２ｇ１を上述した熱伝導低減導電部材のシリコンゴムで形成させても良く、また突起２２ｋを後述する熱伝導低減絶縁部材で形成させても良い。
【００３２】
バッテリユニット収容部３３は、バッテリ３４を含む、たとえば２つの円筒形状のバッテリユニット３３ａと、このバッテリユニット３３ａを収容する収容部である内部空間を形成する内面を有する略円筒形状の枠体で構成される収容ケース３３ｂと、収容ケース３３ｂの内面に突起して設けられて、バッテリユニット３３ａに設けられたバッテリユニット正電極３３ｐ１が接続端子３２ｅと接触する内部空間の所定の位置に、バッテリユニット３３ａを支持して固定する支持手段としての複数のリブ３３ｃと、バッテリユニット３３ａに設けられたバッテリユニット負電極３３ｑ１と接続される接続端子３３ｄと、バッテリユニット収容部３３の外表面に設けられ、接点３２ｇと接続端子３３ｄとの電路間に接続される温度スイッチ３３ｅとを備える。なお、収容ケース３３ｂも、熱伝導率の低い部材で構成すれば、本発明にかかる熱伝導低減手段の機能を有することになる。
【００３３】
リブ３３ｃは、支持手段としての機能を有し、かつバッテリユニット３３ａおよび収容ケース３３ｂとともに、バッテリユニット３３ａの外面と収容ケース３３ｂとの間に熱伝導低減手段である空気層３３ｆを形成する空間形成手段としての機能も有する。この空気層３３ｆは、円筒形状のバッテリユニット３３ａを囲繞するように、設けられており、バッテリ装置３の外部から収容ケース３３ｂを介してバッテリユニット３３ａに熱が伝導することを防いでいる。
【００３４】
また、リブ３３ｃは、形状が略半円柱形状で、熱伝導率の低い部材で構成されており、収容ケース３３ｂからリブ３３ｃを介してバッテリユニット３３ａに熱が伝導することを防いでいる。したがって、リブ３３ｃは、この形成された空気層３３ｆとともに、外部からバッテリユニット３３ａへの熱伝導を低減させている。接続端子３３ｄは、舌片形状の板バネからなっており、一端が後述する隔壁３３ｈに固定され、他端が板バネの付勢力によって、バッテリユニット３３ａのバッテリユニット負電極３３ｑ１と接触が容易なように構成されている。また、温度スイッチ３３ｅは、バッテリユニット収容部３３の外表面に配設され、外部温度が所定の温度になると、オン状態になって接点３２ｇと接続端子３３ｄとの間の電路を導通させている。この構成により、バッテリユニット３３ａからランプ３２ａへの電路が導通して、バッテリユニット３３ａからランプ３２ａへの電源供給が可能となる。
【００３５】
また、バッテリユニット収容部３３は、バッテリユニット３３ａの下方に、外部の電源供給装置（図示せず）から発振される給電用信号を電磁誘導によって取り込む給電用コイル３３ｇと、取り込んだ給電用信号から電力を再生し、かつ再生した電力を昇圧してバッテリユニット３３ａに供給する再生昇圧回路（図示せず）とを備え、この給電用コイル３３ｇおよび再生昇圧回路は、電源供給手段を構成している。給電用コイル３３ｇは、図３に示すように、バッテリユニット３３ａの下方に配置された、断面がコ字形状で上面が略円形の隔壁３３ｈによって隔てられた、収納部３３ｉ内の台座３３ｊに巻回されて設けられており、給電用コイル３３ｇと電気的に接続される再生昇圧回路は、収容ケース３３ｂ内に設けられている。なお、隔壁３３ｈは、収容ケース３３ｂの底面を形成している。また、隔壁３３ｈも、熱伝導率の低い部材で形成されれば、構成上なお良い。
【００３６】
この構成により、給電用コイル３３ｇによって取り込まれた給電用信号は、再生昇圧回路によって電力として再生され、さらに電位をバッテリユニット３３ａ内のバッテリ３４の電位にまで昇圧された後に、バッテリ３４に蓄積される。このように、バッテリ装置３は、外部からの電磁誘導によって電源が供給される構成を有する。なお、本発明では、給電は実施の形態に示した電磁誘導方式に限るものではなく、マイクロ波を用いるものでも良い。
【００３７】
また、バッテリユニット収容部３３は、収容ケース３３ｂの内周面の上端部に設けられた略円柱形状の係合部材３３ｒを有し、この係合部材３３ｒは、バッテリユニット収容部３３と係合して収容空間である空気層３３ｆを気密空間として形成する気密空間形成手段としての機能を有している。この係合部材３３ｒの外周面には、断面がくさび形状の溝３３ｒ１が無端状に設けられており、この溝３３ｒ１内には、収容ケース３３ｂの内周面と係合部材３３ｒの外周面との間に当接するシール部材としてのＯリング３３ｓが設けられている。この構成において、収容ケース３３ｂと係合部材３３ｒは、被シール部材としての機能も有する。
【００３８】
このＯリング３３ｓは、たとえばシリコンゴムなどで製造されており、図６に示すように、収容ケース３３ｂと係合部材３３ｒとの間に介在する隙間Ｄから加わる外圧に対して、所定のつぶし代が設けられている。このような構成において、たとえば、このバッテリ装置３にオートクレープ滅菌を施すと、ランプ収容部３２の枠体方向から隙間Ｄに２．２気圧の加圧水蒸気が流入し（図６（ａ）参照）、この加圧がＯリング３３ｓに加わって、Ｏリング３３ｓを溝３３ｒ１のテーパー部３３ｒ２の方向に押圧する（図６（ｂ）参照）。この実施の形態では、外部から加わる外圧と収容ケース３３ｂの内圧との圧力差に応じて、Ｏリング３３ｓが当接する収容ケース３３ｂおよび係合部材３３ｒとの当接力が変化するように、Ｏリング３３ｓが変形される。
【００３９】
これによって、この実施の形態では、収容ケース３３ｂの内周面および係合部材３３ｒの外周面とＯリング３３ｓとの密着性が向上し、収容ケース３３ｂ内部の気密性を高めることができ、たとえば外部環境が加圧水蒸気による高温状態においても、収容ケース３３ｂ内部の気密性を高めて、高温の水蒸気の侵入を防ぐことができ、バッテリの性能を劣化させることがなく、外部環境の加圧水蒸気による高温状態に良好に対応できる。
【００４０】
さらに、バッテリユニット収容部３３および収容ケース３３ｂは、このバッテリユニット収容部３３の外面と収容ケース３３ｂの外面との間に熱伝導低減手段である空気層３３ｋを形成する空間形成手段としての機能を有する。この空気層３３ｋは、収容ケース３３ｂを囲繞するように形成されている。この構成により、バッテリ装置３は、二重の空気層３３ｆ，３３ｋを有して、外部からバッテリユニット３３ａへの熱伝導を低減している。なお、この発明では、空気層３３ｋの代わりに、バッテリユニット収容部３３と収容ケース３３ｂ間に真空層を形成することも可能であり、３３ｆを真空層に形成することも可能である。また収容ケースから突出される長方体形状の複数の仕切壁３３ｌによって、この層を仕切ることも可能であり、この構成によって熱伝導を低減できるとともに、バッテリ装置３の内部強度を高めることができる。
【００４１】
図７は、図３に示したバッテリユニット３３ａの構成の実施の形態１を示す断面図である。なお、以下の図において、図１〜図６の構成部分と同様の構成部分に関しては、説明の都合上、同一符号を付記するものとする。図４、図７において、バッテリユニット３３ａは、たとえば単三の乾電池からなるバッテリ３４を取り囲んでカバーする熱伝導低減手段としての、カバー３３ｍと、このカバー３３ｍが収容される、本発明にかかる収容部としてのユニット収容部３３ｎと、本発明にかかる電極部としてのバッテリ３４のバッテリ正電極３４ａおよびバッテリ負電極３４ｂと接続する、本発明にかかる導電手段としての、電極部材３３ｐ，３３ｑとを備える。この電極部材３３ｐは、バッテリユニット３３ａの外表面に設けられた本発明にかかる電極部材としての、たとえば肉薄の円板形状のバッテリユニット正電極３３ｐ１と、このバッテリユニット正電極３３ｐ１とバッテリ３４のバッテリ正電極３４ａとを電気的に接続させる導電線３３ｐ２とを備える。また、電極部材３３ｑは、バッテリユニット３３ａの外表面に設けられた本発明にかかる電極部材としての、たとえば肉薄の円板形状のバッテリユニット負電極３３ｑ１と、このバッテリユニット負電極３３ｑ１とバッテリ３４のバッテリ負電極３４ｂとを電気的に接続させる導電線３３ｑ２とを備える。
【００４２】
これら電極３３ｐ１，３３ｑ１とユニット収容部３３ｎ間には、リング形状の空隙Ｃが設けられ、電極３３ｐ１，３３ｑ１とユニット収容部３３ｎが直接接触して、バッテリ３４がショートしないように構成されている。これら電極３３ｐ１，３３ｑ１は、上述した接続端子３２ｅ，３２ｆおよび接点３２ｇと同様に、少なくとも通常の電気電極として用いられる金属の接点に対しては熱伝導率の低く、かつ導電性のあるゴムや樹脂などの部材で形成されている。なお、本発明では、カバー３３ｍを絶縁体により形成することで、空隙Ｃを設けないようにしても良い。また、この実施の形態では、単三型の電池を想定したが、本発明ではこれに限らず、電池の種類はどのようなものを使用しても良い。
【００４３】
カバー３３ｍは、たとえば熱伝導率の低い材料である発泡スチロールからなる熱伝導低減部材により構成されるので、収容ケース３３ｂからバッテリ３４に熱が伝導することを防いでいる。また、カバーの強度が十分に高い場合には、このバッテリユニット３３ａは、ユニット収容部３３ｎを必ずしも備える必要はない。このような構成により、バッテリユニット３３ａは、バッテリ３４への熱伝導を低減させ、かつバッテリ装置の軽量化を図ることができ、操作者による操作性の向上の一助とすることができる。
【００４４】
このように、この実施の形態では、バッテリを熱伝導低減手段であるカバーで囲繞し、さらにバッテリと接続される電極部材の電極およびバッテリと外部機器とを接続する接続端子や接点など、一般にバッテリへの熱伝導作用がある部材を、熱伝導率の低く、かつ導電性のある部材で形成させたので、外部環境が高温状態においてもバッテリの性能を劣化させることなく、外部環境の高温状態に良好に対応できる。
【００４５】
図８は、図３に示したＯリングの内部構成の他例を示す内部構成図であり、図９は、図８に示したＯリングのＣ−Ｃ断面を示す断面図である。図８において、たとえばシリコンゴムなどで構成されるＯリング３３ｓは、内部の長手方向に無端に設けられたリング形状の形状記憶材料３３ｓ１と、Ｏリング３３ｓの上記長手方向に直交する内部の円周方向に設けられ、この形状記憶材料３３ｓ１と一部が接続されるＣ字形状の複数の形状記憶材料３３ｓ２とを有する。各形状記憶材料３３ｓ２は、所定距離隔ててＯリング３３ｓ内に設けられている。
【００４６】
これら形状記憶材料３３ｓ１，３３ｓ２は、加わる熱に応じて、膨張する性質を有しており、たとえばオートクレーブ滅菌の際に１３５℃に加熱されると、図９に示すように、膨張してＯリング３３ｓの径全体を太くするように変形する。したがって、この形状記憶材料３３ｓ１，３３ｓ２を内在するＯリングを、図３に示した係合部材３３ｒの溝３３ｒ１に当接させれば、オートクレープ滅菌の際に、外部から加わる熱によって膨張し、Ｏリングの径が大きくなってＯリング全体が太くなり、この結果、Ｏリング３３ｓが当接する収容ケース３３ｂおよび係合部材３３ｒとの当接力が変化するように、Ｏリング３３ｓが変形される。
【００４７】
このように、Ｏリングの径が大きくなることによって、この実施の形態では、収容ケース３３ｂの内周面および係合部材３３ｒの外周面とＯリング３３ｓとの密着性が向上し、収容ケース３３ｂ内の気密性を高めることができ、たとえば外部環境が加圧水蒸気による高温状態においても、内部の気密性を高めて、高温の水蒸気の侵入を防ぐことができ、バッテリの性能を劣化させることがなく、外部環境の加圧水蒸気による高温状態に良好に対応できる。
【００４８】
（実施の形態２）
図１０は、図３に示したバッテリユニット収容部３３の構成の実施の形態２を示す断面図である。図１０において、バッテリユニット収容部３３は、一端が開口し、このバッテリユニット収容部３３の開口側に、たとえば蝶番式のコイルスプリング３３ｔで開閉自在に収容部３３の開口側に付勢するように連結された、断面凸形状の蓋体３３ｕを備える。そして、この蓋体３３ｕを開放状態にすることによって、バッテリユニット３３ａの交換を行えるように構成している。
【００４９】
この蓋体３３ｕは、外周面に当接するシール部材としての中空のリング形状で、かつ断面が長方体のパッキン３３ｖを有する。そして、この蓋体３３ｕは、たとえば図示しないバックル式のロック機構によってバッテリユニット収容部３３に一体的に固定されている。また、蓋体３３ｕの開放時に、収容ケース３３ｂ内にバッテリユニット３３ａを収納し、蓋体３３ｕを閉めたときに、パッキン３３ｖがバッテリユニット収容部３３の開口側縁部の内周面に当接するとともに、蓋体３３ｕの底面３３ｕ１が収容ケース３３ｂの開口側縁部に当接する。この蓋体３３ｕは、バッテリユニット収容部３３および収容ケース３３ｂと当接して、収容空間である空気層３３ｆ，３３ｋを気密空間として形成する気密空間形成手段としての機能を有している。
【００５０】
また、蓋体３３ｕを閉めたときに、蓋体３３ｕの底面３３ｕ１に設けた導電性の接続端子３３ｕ２が、バッテリユニット３３ａの図示しないバッテリユニット負電極３３ｑ１と接触して、ランプ３２ａなどの機能実行手段と電気的に接続されている。この構成において、収容ケース３３ｂと蓋体３３ｕは、被シール部材としての機能も有している。
【００５１】
また、このパッキン３３ｖは、実施の形態１で示したＯリング３３ｓと同様に、たとえばシリコンゴムなどで製造されており、図１１の拡大断面図に示すように、蓋体３３ｕの上面に加わる外圧に対して、その外圧の加わる方向に所定のつぶし代Ｗ＝Ｈ−ｈが設けられている。なお、Ｈは、外圧が通常の１気圧時のパッキン３３ｖの高さで（図１１（ａ）参照）、ｈは、たとえばオートクレーブ滅菌の際の外圧が２．２気圧の時のパッキン３３ｖの高さである（図１１（ｂ）参照）。
【００５２】
このような構成において、たとえば、このバッテリ装置３にオートクレープ滅菌を施すと、蓋体３３ｕの上面に加圧水蒸気による外圧が加わって、パッキン３３ｖをバッテリユニット３３ａの方向に押圧する。その際に、外部から加わる圧力と収容ケース３３ｂの内圧との圧力差に応じて、パッキン３３ｖがバッテリユニット収容部３３の内周面と蓋体３３ｕの外周面に当接し、この結果、パッキン３３ｖとバッテリユニット収容部３３および蓋体３３ｕとの当接力が変化するように、パッキン３３ｖが変形される。
【００５３】
これによって、この実施の形態では、バッテリユニット収容部３３の内周面および蓋体３３ｕの外周面とパッキン３３ｖとの密着性が向上し、収容ケース３３ｂ内の気密性を高めることができ、たとえば外部環境が加圧水蒸気による高温状態においても、内部の気密性を高めて、高温の水蒸気の侵入を防ぐことができ、バッテリの性能を劣化させることがなく、外部環境の加圧水蒸気による高温状態に良好に対応できる。
【００５４】
また、この実施の形態では、蝶番式のコイルスプリング３３ｔを熱上昇に伴って、蓋体３３ｕが閉まる方向に変形する、たとえば形状記憶材料で製造することが可能である。この場合には、オートクレーブ滅菌の際の加圧水蒸気による高温状態に応じて、コイルスプリング３３ｔが、蓋体３３ｕを閉める方向に変形することによって、さらにバッテリユニット収容部３３の内周面および蓋体３３ｕの外周面とパッキン３３ｖとの密着性が向上し、収容ケース３３ｂ内の気密性をさらに高めることができる。
【００５５】
また、オートクレーブ滅菌は、加圧水蒸気を加える前に、滅菌対象のバッテリ装置３に対して、いわゆる真空引きを行う。このため、バッテリ装置３の内部も負圧されて、パッキン３３ｖのシール圧が高められることとなる。そして、その後に、外部から加圧水蒸気によって蓋体が加圧されて、さらにパッキン３３ｖのシール圧が高められる。このように、真空引きにより負圧された状態と加圧水蒸気により加圧された状態とで、バッテリ装置３の外部と内部の圧力差が大きくなり、これによって蓋体３３ｕは、良好に閉塞するようになるので、さらに内部の気密性を高めて、高温の水蒸気の侵入を防ぐことができる。
【００５６】
ところが、この実施の形態では、確かに加圧水蒸気の浸入は防げるようになるが、この状態でバッテリユニット３３ａを交換しようとしても、バッテリ装置３内部の圧力と、外部の圧力との圧力差が大きくなって、蓋体３３ｕが開きにくくなることがある。
【００５７】
そこで、この実施の形態では、バッテリユニット収容部３３と収容ケース３３ｂの側壁に逆止弁４０，４１を設けて、オートクレーブ滅菌後に蓋体３３ｕを開放する場合には、逆止弁４０から外部に突出して設けられたリリーフボタン４２を押すことで、逆止弁４０，４１を連動させて開き、バッテリユニット収容部３３内部および収容ケース３３ｂ内部の気圧と、バッテリユニット収容部３３外部の気圧とを平衡にすることで、蓋体３３ｕの開放を容易にすることも可能である。
【００５８】
なお、この実施の形態では、バッテリユニット収容部３３の開口側に蓋体３３ｕを備えたが、本発明はこれに限らず、たとえばバッテリ装置３が、バッテリ収容部３３を削減して、バッテリユニット３３ａと収容ケース３３ｂで構成されることも可能である。この場合には、収容ケース３３ｂの開口側に蓋体３３ｕを備え、パッキン３３ｖが収容ケース３３ｂの開口側縁部に当接するように構成することも可能である。
【００５９】
図１２は、図１０に示したバッテリ収容部および蓋体と第２例のパッキンの係合部分の拡大断面を示す拡大断面図である。この図において、図１１に示した拡大構成と異なる点は、断面がくさび形状のパッキン３３ｖを有する点と、バッテリユニット３３ａの開口側縁部がテーパー形状に構成され、パッキン３３ｖの斜面と開口側縁部のテーパー部分が当接するように構成される点である。このパッキン３３ｖは、蓋体３３ｕの上面に加わる外圧に対して、その外圧の加圧方向と直交する方向に、所定のつぶし代Ｗ＝Ｌ−ｌが設けられている。なお、Ｌは、外圧が通常の１気圧時のパッキン３３ｖの幅で（図１２（ａ）参照）、ｌは、たとえばオートクレーブ滅菌の際の外圧が２．２気圧の時のパッキン３３ｖの幅である（図１２（ｂ）参照）。
【００６０】
このような構成において、たとえば、このバッテリ装置３にオートクレープ滅菌を施すと、蓋体３３ｕの上面に加圧水蒸気による外圧が加わって、パッキン３３ｖをバッテリユニット３３ａの方向に押圧する。このように、外部から加わる圧力と収容ケース３３ｂの内圧との圧力差に応じて、パッキン３３ｖがバッテリユニット収容部３３のテーパー形状の内周面と蓋体３３ｕの外周面に当接し、パッキン３３ｖとバッテリユニット収容部３３および蓋体３３ｕとの当接力が変化するように、パッキン３３ｖが変形される。
【００６１】
これによって、この実施の形態では、実施の形態１と同様に、バッテリユニット収容部３３のテーパー形状の内周面および蓋体３３ｕの外周面とパッキン３３ｖとの密着性が向上し、収容ケース３３ｂ内の気密性を高めることができ、たとえば外部環境が加圧水蒸気による高温状態においても、内部の気密性を高めて、高温の水蒸気の侵入を防ぐことができ、バッテリの性能を劣化させることがなく、外部環境の加圧水蒸気による高温状態に良好に対応できる。
【００６２】
図１３は、図１０に示したバッテリ収容部および蓋体と第３例のパッキンの係合部分の拡大断面を示す拡大断面図である。この図において、図１２に示した拡大構成と異なる点は、断面がくさび形状のパッキン３３ｖの上面に切り欠き部３３ｖ１を設けた点と（図１３（ａ）参照）、バッテリユニット収容部３３と蓋体３３ｕとの間の隙間Ｅを介して、この切り欠き部３３ｖ１にも、直接加圧水蒸気による外圧が加わるように（図１３（ｂ）参照）、構成した点である。このパッキン３３ｖも、第２例と同様に、蓋体３３ｕの上面に加わる外圧に対して、その外圧の加圧方向と直交する方向に、所定のつぶし代が設けられている。
【００６３】
このような構成において、たとえば、このバッテリ装置３にオートクレープ滅菌を施すと、蓋体３３ｕの上面に加圧水蒸気による外圧が加わって、パッキン３３ｖをバッテリユニット３３ａの方向に押圧する。このように、外部から加わる圧力と収容ケース３３ｂの内圧との圧力差に応じて、パッキン３３ｖがバッテリユニット収容部３３のテーパー形状の内周面と蓋体３３ｕの外周面に当接し、パッキン３３ｖとバッテリユニット収容部３３および蓋体３３ｕとの当接力が変化するように、パッキン３３ｖが変形される。
【００６４】
これによって、この実施の形態では、第２例と同様の効果を奏するとともに、切り欠き部３３ｖ１に直接加圧水蒸気による外圧が加わるので、バッテリユニット収容部３３のテーパー形状の内周面とパッキン３３ｖの斜面との当接力がより強固になって、さらに内部の気密性を高めることができる。
【００６５】
（実施の形態３）
図１４は、２次バッテリを内蔵させた内視鏡２の模式図である。図において、操作部２２内には、照明光を導光する導光手段としてのライトガイドファイバ２４が挿入されており、このライトガイドファイバ２４は、操作部２２内で屈曲され、一端が接続ソケット２５内で固定される。さらに、接続ソケット２５は、内部に照明ランプユニット２７と、照明ランプユニット２７からの照明光をライトガイドファイバ２４の一端面に集光させる集光レンズ２６を備える。
【００６６】
また、接続ソケット２５は、バッテリ３４のバッテリ正電極３４ａが接続されるコイルバネ２８と、バッテリ３４のバッテリ負電極３４ｂが接続される接点ピン２９と、接点ピン２９を付勢させて突出させるスプリング３０を備える。また、照明ランプユニット２７は、照明光を出射するランプ３２ａと、ランプ３２ａを保持するランプホルダ３５とを備える。この構成により、照明ランプユニット２７が接続ソケット２５に差し込まれると、コイルバネ２８および接点ピン２９が照明ランプユニット２７に当接し、バッテリ３４とランプ３２ａが電気的に接続される。そして、ランプ３２ａから出射された照明光が、集光レンズ２６を介してライトガイドファイバ２４の光入射端面に供給される。この接点ピン２９は、少なくとも通常の電気電極として用いられる金属の接点に対しては熱伝導率の低く、かつ導電性のあるゴムや樹脂などの部材で形成されている。
【００６７】
バッテリユニット収容部３３は、実施の形態１とほぼ同様の構成からなり、ランプ３２ａを点灯させるモード、ランプを消灯するモード、内視鏡２の操作部２２に設けられた充電用接続端子３２ｆを介してバッテリ３４を充電するモード、のモード切換えを行うスイッチ３２ｄと、バッテリ３４を含むバッテリユニット３３ａと、このバッテリユニット３３ａを収容する収容部としての収容ケース３３ｂと、収容ケース３３ｂ内にバッテリユニット３３ａを支持して固定する支持手段としての複数のリブ３３ｃと、空気層３３ｆと、バッテリユニット３３ａの電極部材３３ｐ，３３ｑとを備える。また、バッテリユニット収容部３３は、バッテリユニット３３ａの下方に、外部の電源供給装置（図示せず）から発振される給電用信号を電磁誘導によって取り込む給電用コイル３３ｇを備える。さらに、充電用接続端子３２ｆは、実施の形態１に示した接続端子３２ｆと同様に、熱伝導率の低く、かつ導電性のあるゴムや樹脂などの部材で形成され、電極部材３３ｐ，３３ｑは、実施の形態１に示した電極部材３３ｐ，３３ｑと同様に、その一部または全部が、熱伝導率の低く、かつ導電性のあるゴムや樹脂などの部材で形成されている。
【００６８】
また、バッテリユニット収容部３３は、収容ケース３３ｂの内周面の上端部に設けられた略円柱形状の係合部材３３ｒを有している。この係合部材３３ｒは、バッテリユニット収容部３３と係合して収容空間である空気層３３ｆを気密空間として形成する気密空間形成手段としての機能を有している。この係合部材３３ｒの外周面には、断面がくさび形状の溝３３ｒ１が無端状に設けられており、この溝３３ｒ１内には、収容ケース３３ｂの内周面と係合部材３３ｒの外周面との間に当接するシール部材としてのＯリング３３ｓが設けられている。この構成において、収容ケース３３ｂと係合部材３３ｒは、被シール部材としての機能も有する。
【００６９】
このように、この実施の形態では、実施の形態１と同様に、外部から加わる外圧と収容ケース３３ｂの内圧との圧力差に応じて、収容ケース３３ｂおよび係合部材３３ｒとＯリング３３ｓとの当接力が変化するように、Ｏリング３３ｓが変形される。これによって、この実施の形態では、実施の形態１と同様の効果を奏することができる。
【００７０】
なお、通常の内視鏡の操作部などは、ポリサルフォンやノリルなどの素材で構成されているが、本発明にかかる熱伝導低減部材は、これらの素材よりも断熱効果が高い、たとえば発泡スチロールなどを用いるのが好ましい。
【００７１】
また、上述した実施の形態では、本発明にかかるバッテリユニットを内視鏡装置に用いた場合を説明したが、本発明はこれに限らず、たとえば電気メス、超音波手術器具、熱メス、ドリル、シェーバー、ステーブラー、口頭鏡、超音波観測装置、カプセル型内視鏡などの滅菌を必要とする手術用器具もしくは検査用器具および観測用器具の電源としても用いることが可能である。また、人工臓器やペースメーカーなどの滅菌を必要とする体内埋め込み器具の電源としても用いることが可能である。また、観測用に使用されるモニターやレーザーポインターなどの手術室の清潔域で使用する機器の電源としても用いることが可能である。さらには医療器具に限らず、火災現場やプラントなどの高温および低温のタンクや配管などを観察するときに用いられる工業用の内視鏡、宇宙ステーションで用いられ、高温から低温の温度条件の厳しい宇宙環境で使用される機器（たとえば作業用マニピュレータや自立移動するロボットなど）の電源としても用いることが可能である。これら内視鏡装置、医療器具などは、本発明にかかるバッテリ装置の一部を構成するものである。
【図面の簡単な説明】
【００７２】
【図１】本発明にかかるバッテリ装置を用いる携帯型内視鏡装置の構成の一例を示す斜視図である。
【図２】図１に示した操作部とバッテリ装置の接続部の外観を説明するための図である。
【図３】図１に示したバッテリ装置における実施の形態１のＡ−Ａ断面の概略構成を示す断面図である。
【図４】同じく、バッテリ装置における実施の形態１のＢ−Ｂ断面の概略構成を示す断面図である。
【図５】図１に示したバッテリ装置の接点の一部断面を示す断面図である。
【図６】図３に示した収容ケースおよび係合部材とＯリングの係合部分の拡大断面を示す拡大断面図である。
【図７】図３に示したバッテリユニットの構成の実施の形態１を示す断面図である。
【図８】図３に示したＯリングの内部構成の他例を示す内部構成図である。
【図９】図８に示したＯリングのＣ−Ｃ断面を示す断面図である。
【図１０】図３に示したバッテリユニット収容部の構成の実施の形態２を示す断面図である。
【図１１】図１０に示したバッテリ収容部および蓋体と第１例のパッキンの係合部分の拡大断面を示す拡大断面図である。
【図１２】同じく、バッテリ収容部および蓋体と第２例のパッキンの係合部分の拡大断面を示す拡大断面図である。
【図１３】同じく、バッテリ収容部および蓋体と第３例のパッキンの係合部分の拡大断面を示す拡大断面図である。
【図１４】２次バッテリを内蔵させた内視鏡の模式図である。
【符号の説明】
【００７３】
１  内視鏡装置
２  内視鏡
３  バッテリ装置
２１  接眼部
２２  操作部
２２ａ  ライトガイド口金
２２ｂ  湾曲操作レバー
２２ｃ  吸引ボタン
２２ｄ  吸引口金
２２ｅ  把持部
２２ｆ  鉗子挿入口
２２ｇ  鉗子栓
２２ｈ  通気口金
２２ｉ  雄ネジ部
２２ｊ  接続筒
２２ｋ  突起
２３  挿入部
２３ａ  先端部
２３ｂ  湾曲部
２３ｃ  可撓管
２３ｄ  照明窓
２４  ライトガイドファイバ
２５  接続ソケット
２６  集光レンズ
２７  照明ランプユニット
２８  コイルバネ
２９  接点ピン
３０，３２ｇ２  スプリング
３１  接続部
３１ａ  接続環
３１ｂ  雌ネジ部
３１ｃ  ネジカバー
３１ｄ  接続口金
３１ｅ  水密リング
３２  ランプ収容部
３２ａ  ランプ
３２ａ１，３２ａ２  電路
３２ｂ  集光レンズ
３２ｃ  電源回路
３２ｄ  スイッチ
３２ｅ，３２ｆ，３３ｄ，３３ｕ２  接続端子
３２ｇ  接点
３２ｇ１  接点ピン
３３  バッテリユニット収容部
３３ａ  バッテリユニット
３３ｂ  収容ケース
３３ｃ  リブ
３３ｅ  温度スイッチ
３３ｆ，３３ｋ  空気層
３３ｇ  給電用コイル
３３ｈ  隔壁
３３ｉ  収納部
３３ｊ  台座
３３ｌ  仕切壁
３３ｍ  カバー
３３ｎユニット収容部
３３ｐ，３３ｑ    電極部材
３３ｐ１，３３ｑ１，３４ａ，３４ｂ  電極
３３ｐ２，３３ｑ２  導電線
３３ｒ  係合部材
３３ｒ１  溝
３３ｒ２  テーパー部
３３ｓ  Ｏリング
３３ｓ１，３３ｓ２  形状記憶材料
３３ｔ  コイルスプリング
３３ｕ  蓋体
３３ｕ１  底面
３３ｖ  パッキン
３３ｖ１  切り欠け部
３４  バッテリ
３５  ランプホルダ
４０，４１  逆止弁
４２  リリーフボタン
Ｃ  空隙
Ｄ，Ｅ  隙間
Ｗ  つぶし代
【図１】
0004772286.tif 000002
【図２】
0004772286.tif 000003
【図３】
0004772286.tif 000004
【図４】
0004772286.tif 000005
【図５】
0004772286.tif 000006
【図６】
0004772286.tif 000007
【図７】
0004772286.tif 000008
【図８】
0004772286.tif 000009
【図９】
0004772286.tif 000010
【図１０】
0004772286.tif 000011
【図１１】
0004772286.tif 000012
【図１２】
0004772286.tif 000013
【図１３】
0004772286.tif 000014
【図１４】
0004772286.tif 000015